(57)【要約】【課題】印刷品質を向上させることが可能な表示装置を提供する。【解決手段】原画像を分割した複数の部分画像の各々をフレームとして構成される映像信号が入力される入力手段と、複数の部分画像のうち、少なくとも１つの部分画像が記憶される第１記憶手段と、複数の部分画像が記憶される第２記憶手段と、第１記憶手段に記憶されている１つの部分画像を表示画面に出力する第１出力手段と、第２記憶手段に記憶されている複数の部分画像から原画像を生成する画像生成手段と、画像生成手段により生成された原画像を印刷装置に出力する第２出力手段と、を備える表示装置。【選択図】図１
2013148718.tif 000002
【特許請求の範囲】
【請求項１】
原画像を分割した複数の部分画像の各々をフレームとして構成される映像信号が入力される入力手段と、
前記複数の部分画像のうち、少なくとも１つの部分画像が記憶される第１記憶手段と、
前記複数の部分画像が記憶される第２記憶手段と、
前記第１記憶手段に記憶されている前記１つの部分画像を表示画面に出力する第１出力手段と、
前記第２記憶手段に記憶されている前記複数の部分画像から前記原画像を生成する画像生成手段と、
前記画像生成手段により生成された前記原画像を印刷装置に出力する第２出力手段と、
を備えることを特徴とする表示装置。
【請求項２】
請求項１に記載の表示装置において、
前記表示画面の表示画素数は前記印刷装置の印刷画素数よりも小さいことを特徴とする表示装置。
【請求項３】
請求項１または２に記載の表示装置において、
前記映像信号を構成する各フレームの画素数は、前記原画像の画素数よりも小さいことを特徴とする表示装置。
【請求項４】
請求項１〜３のいずれか一項に記載の表示装置において、
前記映像信号において前記複数の部分画像は所定順序で並べられており、
前記複数の部分画像は前記所定順序において先頭に並べられる第１部分画像と末尾に並べられる第２部分画像とを少なくとも含み、
前記入力手段には、前記複数の部分画像が少なくとも２回繰り返された映像信号が入力され、
前記第２部分画像が前記入力手段に入力された後、次に入力されたフレームが前記第１部分画像とは異なっている場合、前記原画像とは異なる画像が入力されたと判定し、次に入力されたフレームが前記第１部分画像と同一である場合には前記原画像が再度入力されたと判定する判定手段を更に備えることを特徴とする表示装置。
【請求項５】
請求項１〜４のいずれか一項に記載の表示装置において、
前記入力手段は複数存在し、
前記複数の入力手段から前記第１記憶手段および前記第２記憶手段に記憶される部分画像が入力される入力手段を選択する選択手段を更に備えることを特徴とする表示装置。
【請求項６】
請求項１〜５のいずれか一項に記載の表示装置において、
前記第１記憶手段と前記第２記憶手段とは互いに異なる部材であることを特徴とする表示装置。
【請求項７】
請求項１〜５のいずれか一項に記載の表示装置において、
前記第２記憶手段は、前記第１記憶手段をその一部として含むことを特徴とする表示装置。
【発明の詳細な説明】
【技術分野】
【０００１】
本発明は、表示装置に関する。
【背景技術】
【０００２】
従来、表示中の画像を印刷可能な画像表示装置が知られている。例えば特許文献１には、動画像の投影中にユーザから印刷指示が与えられると、指示を受け付けた瞬間よりも所定のコマ数分だけ前の画像データを印刷する画像表示プロジェクタが記載されている。
【先行技術文献】
【特許文献】
【０００３】
【特許文献１】特開２００６−２４３６７２号公報
【発明の概要】
【発明が解決しようとする課題】
【０００４】
従来技術では、大きなサイズの原画像を表示し印刷する際に、表示サイズ以上の品質で印刷することができないという問題があった。
【課題を解決するための手段】
【０００５】
請求項１に係る発明は、原画像を分割した複数の部分画像の各々をフレームとして構成される映像信号が入力される入力手段と、前記複数の部分画像のうち、少なくとも１つの部分画像が記憶される第１記憶手段と、前記複数の部分画像が記憶される第２記憶手段と、前記第１記憶手段に記憶されている前記１つの部分画像を表示画面に出力する第１出力手段と、前記第２記憶手段に記憶されている前記複数の部分画像から前記原画像を生成する画像生成手段と、前記画像生成手段により生成された前記原画像を印刷装置に出力する第２出力手段と、を備えることを特徴とする表示装置である。
【発明の効果】
【０００６】
本発明によれば、印刷品質を向上させることができる。
【図面の簡単な説明】
【０００７】
【図１】第１の実施の形態に係る表示装置の構成を示すブロック図である。
【図２】表示装置１と表示装置１に接続したデジタルカメラ２とを模式的に示した図である。
【図３】撮影画像Ａとその分割パターンの一例を示す図である。
【図４】表示装置１と表示装置１に接続したデジタルカメラ２とを模式的に示した図である。
【図５】表示装置１と表示装置１に接続したデジタルカメラ２とを模式的に示した図である。
【図６】表示装置１が実行する制御処理のフローチャートである。
【図７】第２の実施の形態に係る表示装置５の構成を示すブロック図である。
【発明を実施するための形態】
【０００８】
以下、本発明を適用した第１の実施の形態である表示装置について説明する。
【０００９】
（第１の実施の形態）
図１は、第１の実施の形態に係る表示装置の構成を示すブロック図である。表示装置１は、ＬＣＤパネル１５に画像を表示する、いわゆるデジタルフォトフレームである。表示装置１には、デジタルカメラ２およびプリンタ３が接続可能である。本実施形態のデジタルカメラ２は、ＨＤＭＩ（登録商標）規格のケーブルにより表示装置１に接続され、表示装置１に映像信号を出力する。プリンタ３は、例えばＵＳＢ（Universal Serial Bus）規格のケーブルにより表示装置１に接続され、表示装置１からの指示に従い画像を印刷する。
【００１０】
表示装置１は、デジタルカメラ２の内部に格納されている撮影画像を映像信号により受信してＬＣＤパネル１５に表示する機能を有している。ユーザはデジタルカメラ２の操作部材を操作することにより、表示する撮影画像を切り替えることができる。例えば、デジタルカメラ２に複数の撮影画像が格納されている場合、それらの撮影画像を１つずつ順番にＬＣＤパネル１５に表示させることができる。
【００１１】
表示装置１はリモコン４により操作可能に構成されており、ユーザはこのリモコン４を操作して、現在表示されている画像をプリンタ３により印刷するよう表示装置１に指示することができる。この指示を受けとった表示装置１は、表示されている画像をプリンタ３に出力し、当該画像が印刷されるようにプリンタ３を制御する。
【００１２】
以下、図１を参照して表示装置１の各部を説明する。デジタルカメラ２から出力される映像信号は、入力インタフェース（Ｉ／Ｆ）１１に入力される。入力Ｉ／Ｆ１１は、デジタルカメラ２とＨＤＭＩ規格上の種々の通信（例えば伝送解像度のネゴシエーションなど）を行う。入力Ｉ／Ｆ１１は、デジタルカメラ２から入力された映像信号の各フレームを信号分離部１２に送出する。
【００１３】
信号分離部１２は、入力された各フレームを所定条件に基づいて表示制御部１３および印刷用メモリ１７に出力する。信号分離部１２がどのようなときに入力されたフレームを表示制御部１３および印刷用メモリ１７に出力するのかについては後に詳述する。信号分離部１２には、フレーム識別部２０が接続されている。フレーム識別部２０は、入力Ｉ／Ｆ１１から入力された各フレームの同一性を識別する。フレーム識別部２０の詳細は後述する。
【００１４】
表示制御部１３はＬＣＤパネル１５および表示用メモリ１４に接続され、それらの各部を制御する。表示用メモリ１４は、少なくともＬＣＤパネル１５の表示サイズと同一のサイズの画像データを記憶可能な大きさの記憶装置である。ＬＣＤパネル１５は、表示用メモリ１４に記憶されている画像を表示する。
【００１５】
印刷用メモリ１７は、複数のフレームを記憶可能な大きさの記憶装置であり、信号分離部１２から送出された各フレームを記憶する。印刷用メモリ１７には印刷制御部１８が接続されている。印刷制御部１８は、印刷用メモリ１７に記憶されている画像データをプリンタ３に出力し、当該画像データの印刷を指示する。
【００１６】
リモコン４には種々のボタンが設けられており、それらのボタンが押下されると、当該ボタンに対応する操作信号が赤外線等により射出される。リモコン４から射出された操作信号は、表示装置１の筐体に設けられたリモコン受光部１９により受光される。リモコン受光部１９は上記の操作信号を受光すると、当該操作信号に応じた制御信号を信号分離部１２および印刷制御部１８に出力する。
【００１７】
（各デバイスが扱う画像の大きさの説明）
デジタルカメラ２に格納されている撮影画像の大きさ（ピクセル数）と、入力Ｉ／Ｆ１１に入力される映像信号の各フレームの大きさ（ピクセル数）と、ＬＣＤパネル１５の表示画素数とは、同一とは限らない。本実施形態の表示装置１およびデジタルカメラ２は、ＨＤＭＩ１．３ａ規格に準拠している。従って入力Ｉ／Ｆ１１は、最大で横１９２０ピクセル、縦１０８０ピクセルの大きさのフレームを有する映像信号を受け付けることができる。つまり、表示装置１が受付可能な最大入力フレームサイズは、「１９２０×１０８０」である。また、デジタルカメラ２も同様に、横１９２０ピクセル、縦１０８０ピクセルの大きさのフレームを有する映像信号を出力することができる。つまり、デジタルカメラ２が出力可能な最大出力フレームサイズは、「１９２０×１０８０」である。
【００１８】
本実施形態におけるＬＣＤパネル１５は、上記の最大入力フレームサイズに合わせて、横１９２０ピクセル、縦１０８０ピクセルの画像を表示することができるように構成されている。つまり、ＬＣＤパネル１５の表示サイズは、「１９２０×１０８０」であり、表示画素数はおよそ２００万画素である。また、デジタルカメラ２に格納されている撮影画像の大きさは、デジタルカメラ２の撮影条件等により個々に異なっている。例えば、ある画像は縦３８４０ピクセル、横２１６０ピクセルの大きさであり、また別の画像は横１９２０ピクセル、縦１０８０ピクセルの大きさである。
【００１９】
本実施形態のデジタルカメラ２は、撮影画像のサイズがデジタルカメラ２の最大出力フレームサイズよりも大きい場合、そのような大きなサイズの撮影画像を分割して、最大出力フレームサイズより小さい複数の画像を作成する。そして、それら複数の画像をそれぞれ映像信号を構成するフレームとして出力する。本実施形態の表示装置１は、このような映像信号が入力されると、複数のフレームから元の撮影画像を作成（復元）して印刷を行う。デジタルカメラ２および表示装置１が上記のように動作する理由は以下の通りである。
【００２０】
仮に上記のような動作が行われない場合、デジタルカメラ２は最大出力フレームサイズより大きな撮影画像を横１９２０ピクセル、縦１０８０ピクセルに縮小して送出しなければならない。このように縮小したとしても、ＬＣＤパネル１５の表示サイズは縮小後のサイズ（横１９２０ピクセル、縦１０８０ピクセル）と同一なので、撮影画像の表示品質は劣化しない。他方、プリンタ３による撮影画像の印刷品質は低下するおそれがある。何故なら、一般に印刷解像度は表示解像度を上回ることが多いためである。
【００２１】
例えば３００ｄｐｉ（１インチ幅に３００ピクセルを表現可能）の印刷解像度を有するプリンタ３でＡ４サイズの用紙全面に画像を印刷する場合、およそ２５００×３５００ピクセル程度の画像サイズが必要となる。このようなプリンタ３に、横１９２０ピクセル、縦１０８０ピクセルに縮小した画像を印刷する場合、Ａ４サイズの用紙全面に印刷するには、表示装置１またはプリンタ３において、上記のサイズに画像を拡大する必要がある。つまり、デジタルカメラ２においていったん縮小された画像が、表示装置１またはプリンタ３において拡大され印刷される。このように従って、デジタルカメラ２には画像がより大きなサイズで格納されているにも関わらず、それより劣った品質の印刷結果しか得られないことになってしまう。
【００２２】
本実施形態のデジタルカメラ２および表示装置１によれば、大きなサイズの撮影画像は分割して伝送されるので、上記した印刷品質の低下を起こすことがない。以下、デジタルカメラ２と表示装置１の動作について、撮影画像のサイズごとに詳述する。
【００２３】
（１）撮影画像のサイズが最大出力フレームサイズを超えない場合
以下、各撮影画像のサイズが横１９２０ピクセル、縦１０８０ピクセルである場合の表示装置１およびデジタルカメラ２の動作について説明する。この撮影画像のサイズは、デジタルカメラ２の最大出力フレームサイズ（１９２０×１０８０）を超えていない。この場合、デジタルカメラ２は撮影画像をそのまま映像信号のフレームとして出力することができる。
【００２４】
図２（ａ）は、表示装置１と表示装置１に接続されたデジタルカメラ２とを模式的に示す図である。デジタルカメラ２を表示装置１に接続すると、デジタルカメラ２の背面に設けられたモニタ２１に、デジタルカメラ２に格納されている各撮影画像がサムネイル表示される。例えば図２（ａ）では、撮影画像Ｘのサムネイル画像２４と、撮影画像Ｙのサムネイル画像２５がモニタ２１に表示されている。この時点では、まだ表示装置１に映像信号は出力されず、ＬＣＤパネル１５には画像が表示されない。
【００２５】
モニタ２１には更に、表示装置１に表示する画像を選択するためのカーソル２３が表示される。ユーザは、デジタルカメラ２の背面に設けられた操作部材２２を用いて、カーソル２３による撮影画像の選択操作を行うことができる。例えば、上下左右方向の選択キーでカーソル２３を移動させ、決定キーで撮影画像の選択を最終決定する。この選択操作が為されると、デジタルカメラ２は映像信号の出力を開始する。
【００２６】
図２（ｂ）は、デジタルカメラ２から表示装置１に出力される映像信号を模式的に示す図である。図２（ｂ）において左から右に引かれた矢印ａｘは時間軸を表している。また、矢印ａｘの上方向に左右に並べられた矩形Ｆ１〜Ｆ９は、デジタルカメラ２から出力される映像信号のフレームを表している。
【００２７】
ユーザが撮影画像Ｘの選択操作を行うと、図２（ｂ）の時刻ｔ０において、デジタルカメラ２が映像信号の送出を開始する。デジタルカメラ２はまず最初に、選択された撮影画像ＸをフレームＦ１として出力する。その結果、図２（ａ）に示すように、表示装置１のＬＣＤパネル１５には撮影画像Ｘが表示される。デジタルカメラ２は、カーソル２３により選択された撮影画像を、映像信号を構成する複数のフレームとして繰り返し出力する。つまり、撮影画像Ｘの選択操作が行われた後、ユーザが何も操作をしない場合、デジタルカメラ２からはフレームＦ２〜Ｆ６のように、撮影画像Ｘが繰り返し出力される。
【００２８】
ユーザが操作部材２２を用いてカーソル２３を移動させ、時刻ｔ１において撮影画像Ｙの選択操作を行うと、デジタルカメラ２は撮影画像ＹをフレームＦ７として出力する。その結果、ＬＣＤパネル１５に表示される画像が、撮影画像Ｘから撮影画像Ｙに切り替わる。
【００２９】
ユーザはリモコン４を操作することにより、表示装置１に印刷指示を送信することができる。印刷指示を受けた表示装置１は、ＬＣＤパネル１５に表示されている画像をプリンタ３にそのまま送信し印刷させる。
【００３０】
（２）撮影画像のサイズが最大出力フレームサイズを超える場合
以下、各撮影画像のサイズが横３８４０ピクセル、縦２１６０ピクセルである場合の動作について説明する。この撮影画像のサイズは、デジタルカメラ２の最大出力フレームサイズ（１９２０×１０８０）を超えている。この場合、デジタルカメラ２はそのままでは撮影画像を映像信号のフレームとして出力できない。最大出力フレームサイズよりも大きいサイズの撮影画像が選択された場合、デジタルカメラ２は撮影画像を分割して送出する。
【００３１】
図３（ａ）は、撮影画像Ａとその分割パターンの一例を示す図である。撮影画像Ａが選択された場合、デジタルカメラ２は最大出力フレームサイズ（１９２０×１０８０）毎に撮影画像Ａをタイル状に分割する。以下、この分割された各部分を部分画像と称する。図３（ａ）に示した撮影画像Ａは横３８４０ピクセル、縦２１６０ピクセルの大きさなので、ちょうど４つの部分画像Ａ１、Ａ２、Ａ３、およびＡ４に分割される。
【００３２】
デジタルカメラ２は作成した部分画像Ａ１〜Ａ４をそれぞれ映像信号のフレームとして出力する。このときの出力順序は表示装置１とデジタルカメラ２の間で予め取り決めておく。本実施形態のデジタルカメラ２は、左上から列方向優先で各行の部分画像を並べた順序で各部分画像Ａ１〜Ａ４を出力する。従って、図３（ｂ）に示すように、部分画像Ａ１を先頭にＡ２、Ａ３、Ａ４の順で部分画像Ａ１〜Ａ４を出力する。
【００３３】
図４（ａ）は、図２（ａ）と同様に、表示装置１と表示装置１に接続されたデジタルカメラ２とを模式的に示す図である。図２（ａ）と同じように、デジタルカメラ２の背面に設けられたモニタ２１には、撮影画像Ａのサムネイル画像２６と、撮影画像Ｂのサムネイル画像２７が表示されている。ユーザが選択操作により撮影画像Ａを選択すると、映像信号の送出が開始され、ＬＣＤパネル１５には図４（ａ）に示すように選択された撮影画像Ａの部分画像Ａ１が表示される。このように、撮影画像Ａが複数の部分画像Ａ１〜Ａ４に分割されている場合、表示装置１は先頭の部分画像Ａ１のみをＬＣＤパネル１５に表示させる。
【００３４】
なお、ＬＣＤパネル１５に表示される部分画像を、先頭の部分画像Ａ１とは異なる部分画像にしてもよい。また、ユーザがリモコン４を操作することにより、表示する部分画像を切り替えられるようにしてもよい。例えば部分画像Ａ１が表示されている状態から、部分画像Ａ２や部分画像Ａ３を表示するように表示装置１に指示できるようにしてもよい。表示装置１はこの指示に応じて、ＬＣＤパネル１５の表示内容を切り替える。
【００３５】
図４（ｂ）は、図２（ｂ）と同様に、デジタルカメラ２から表示装置１に出力される映像信号を模式的に示した図である。ユーザが撮影画像Ａの選択操作を行うと、図４（ｂ）の時刻ｔ２において、デジタルカメラ２が映像信号の送出を開始する。デジタルカメラ２はまず最初に、図３で説明した通りに撮影画像Ａを分割し、部分画像Ａ１〜Ａ４を作成する。そして、先頭の部分画像Ａ１をフレームＦ１０として出力する。その結果、図４（ａ）に示すように、表示装置１のＬＣＤパネル１５には部分画像Ａ１が表示される。次にデジタルカメラ２は、部分画像Ａ２、Ａ３、Ａ４をそれぞれフレームＦ１１、Ｆ１２、Ｆ１３として出力する。撮影画像Ａから作成した４つの部分画像Ａ１〜Ａ４を全て出力したデジタルカメラ２は、先頭の部分画像Ａ１からこれら４つの部分画像Ａ１〜Ａ４を繰り返し出力し続ける。つまり、撮影画像Ａの選択操作が行われた後、ユーザが何も操作をしない場合、デジタルカメラ２からはフレームＦ１４〜Ｆ１７のように、部分画像Ａ１〜Ａ４が繰り返し出力される。
【００３６】
図５（ｂ）に示すように、ユーザが操作部材２２を用いてカーソル２３を移動させ、時刻ｔ６において撮影画像Ｂの選択操作を行うと、デジタルカメラ２は撮影画像Ｂを分割した４つの部分画像Ｂ１〜Ｂ４をフレームＦ２４〜Ｆ２７として出力する。その結果、図５（ａ）に示すように、ＬＣＤパネル１５に表示される画像が、部分画像Ａ１から部分画像Ｂ１に切り替わる。
【００３７】
図５に示す状態（すなわち、デジタルカメラ２において撮影画像Ａが選択された状態）において、ユーザがリモコン４を操作して表示装置１に印刷指示を送信すると、表示装置１はＬＣＤパネル１５に表示されている部分画像Ａ１ではなく、部分画像Ａ１を作成するために分割された元の撮影画像Ａをプリンタ３に送信し印刷させる。以下、表示装置１が撮影信号Ａを得る方法について詳述する。
【００３８】
デジタルカメラ２から表示装置１には、入力される映像信号が１つの撮影画像Ａを分割した部分画像Ａ１〜Ａ４から成ることや、撮影画像Ａがいくつの部分画像から構成されるか（この場合は４つ）、などといった情報は一切知らせることができない。そこで表示装置１は、入力Ｉ／Ｆ１１に入力された映像信号を構成する各フレームの同一性を判定することにより、これらの情報を得る。
【００３９】
時刻ｔ２において、最初のフレームＦ１０が入力Ｉ／Ｆ１１に入力されると、このフレームＦ１０は信号分離部１２に送信される。信号分離部１２は、入力されたフレームＦ１０をフレーム識別部２０に出力し、直近の映像信号の入力開始後（つまり時刻ｔ２以降）においてこのフレームＦ１０と同一のフレームが入力されたことがあるか否かをフレーム識別部２０に判定させる。フレーム識別部２０は、このフレームＦ１０のハッシュ値を所定のハッシュ関数により計算し、記憶しているハッシュ値と比較する。映像信号の入力開始直後、フレーム識別部２０はハッシュ値を一切記憶していないので、ここではフレームＦ１０に対し、一度も入力されたことのないフレームであると判定する。フレーム識別部２０はフレームＦ１０が初めて入力されたフレームであることを信号分離部１２に通知すると共に、計算したフレームＦ１０（部分画像Ａ１）のハッシュ値を記憶する。これにより、次に部分画像Ａ１が入力されたとき、フレーム識別部２０が「そのフレームは入力されたことのあるフレームである」と判定できるようになる。
【００４０】
「フレームＦ１０は初めて入力されたフレームである」とフレーム識別部２０から通知された信号分離部１２は、そのフレームＦ１０を表示制御部１３および印刷用メモリ１７に出力する。表示制御部１３は信号分離部１２から送出されたフレームＦ１０を表示用メモリ１４に格納すると共に、ＬＣＤパネル１５を制御して表示用メモリ１４内のフレームＦ１０を表示させる。その結果、ＬＣＤパネル１５にはフレームＦ１０（すなわち部分画像Ａ１）が表示される。印刷用メモリ１７についても同様に、信号分離部１２から送出されたフレームＦ１０が格納される。
【００４１】
入力Ｉ／Ｆ１１には次に、フレームＦ１１（部分画像Ａ２）が入力される。信号分離部１２は、入力されたフレームＦ１１（部分画像Ａ２）をフレーム識別部２０に出力し、これまでに入力されたフレームのいずれかと今回入力されたフレームＦ１１とが同一か否かを判定させる。フレーム識別部２０は、入力されたフレームＦ１１（部分画像Ａ２）のハッシュ値を計算し、記憶しているハッシュ値（これまでに入力された各フレームのハッシュ値）と今回計算したハッシュ値とを比較し、同一のフレームが入力されたことがあるか否かを判定する。
【００４２】
今回の場合、フレーム識別部２０が記憶するハッシュ値は、フレームＦ１０（部分画像Ａ１）のハッシュ値のみであり、これは今回のフレームＦ１１（部分画像Ａ２）とは異なる内容のフレームなので、これまでに入力されたことのないフレームであると判定する。そして、先ほどと同様に、信号分離部１２にその旨を通知すると共に、フレームＦ１１（部分画像Ａ２）のハッシュ値を記憶する。信号分離部１２は、フレームＦ１１（部分画像Ａ２）がこれまでに入力されたことのない新たなフレームである旨の通知を受け取ると、フレームＦ１１（部分画像Ａ２）を表示制御部１３には出力せず、印刷用メモリ１７にのみ出力する。印刷用メモリ１７は、前回格納したフレームＦ１０（部分画像Ａ１）とは別に、今回入力されたフレームＦ１１（部分画像Ａ２）を格納する。つまり、印刷用メモリ１７には部分画像Ａ１と部分画像Ａ２とが共に格納される。
【００４３】
入力Ｉ／Ｆ１１には引き続きフレームＦ１２（部分画像Ａ３）およびフレームＦ１３（部分画像Ａ４）が入力され、上記と同様の処理が繰り返される。つまり、フレーム識別部２０は更にフレームＦ１２（部分画像Ａ３）およびフレームＦ１３（部分画像Ａ４）のハッシュ値を記憶し、印刷用メモリ１７には更にフレームＦ１２（部分画像Ａ３）およびフレームＦ１３（部分画像Ａ４）が格納される。そして、表示用メモリ１４の内容は部分画像Ａ１のまま変化せず、ＬＣＤパネル１５の表示内容も部分画像Ａ１のまま変化しない。
【００４４】
時刻ｔ３において、入力Ｉ／Ｆ１１にフレームＦ１４（部分画像Ａ１）が入力されると、フレーム識別部２０は入力されたフレームＦ１４（部分画像Ａ１）のハッシュ値が、時刻ｔ２で入力されたフレームＦ１０（部分画像Ａ１）のハッシュ値と同一であることから、このフレームＦ１４（部分画像Ａ１）がこれまでに入力されたことのあるフレームであると判定する。信号分離部１２はこの判定に応じて、時刻ｔ２から時刻ｔ３までの間に入力された４つのフレームＦ１０〜Ｆ１３が、１つの撮影画像Ａを構成する部分画像Ａ１〜Ａ４であることを認識する。そして、時刻ｔ３以降、これまでに入力されたことのない新たな内容のフレームが入力されるまで、表示用メモリ１４および印刷用メモリ１７を更新しない。
【００４５】
このとき、ユーザがリモコン４を操作してリモコン受光部１９に印刷指示を送信すると、リモコン受光部１９は印刷制御部１８に当該指示を送信する。印刷制御部１８はこの指示に応じて、印刷用メモリ１７に格納されているフレームＦ１０〜Ｆ１３（部分画像Ａ１〜Ａ４）を読み出してタイル状に連結し、撮影画像Ａを作成する。そして、作成された撮影画像Ａをプリンタ３に送信して印刷させる。その結果、プリンタ３により、撮影画像Ａが印刷される。
【００４６】
このときプリンタ３に送信される撮影画像Ａのサイズは、横３９４０ピクセル、縦２１６０ピクセルである。このように、表示装置１に入力される映像信号のフレームサイズは横１９２０ピクセル、縦１０８０ピクセルであるにも関わらず、デジタルカメラ２に格納されているオリジナルの撮影画像Ａと同一サイズで印刷を行うことができる。つまり、デジタルカメラ２の最大出力フレームサイズおよび表示装置１の最大入力フレームサイズによる印刷品質の低下は起こらない。
【００４７】
次に、この状態で図５（ｂ）の時刻ｔ６に至り、入力Ｉ／Ｆ１１にフレームＦ２４（部分画像Ｂ１）が入力された場合の処理について説明する。信号分離部１２は前述の通り、このフレームＦ２４をフレーム識別部２０に出力する。フレーム識別部２０は、フレームＦ２４（部分画像Ｂ１）のハッシュ値を計算して記憶済みの各ハッシュ値と比較する。この比較により、フレーム識別部２０は今回入力されたフレームＦ２４（部分画像Ｂ１）が時刻ｔ２以降に入力されたことのない新たなフレームであると判定する。フレーム識別部２０はこの判定に応じて、時刻ｔ２以降に記憶した部分画像Ａ１〜Ａ４のハッシュ値を消去し、今回計算したフレームＦ２４（部分画像Ｂ１）のハッシュ値を新たに記憶する。そして、信号分離部１２に新たなフレームが入力されたことを通知する。信号分離部１２はこの通知に応じて、フレームＦ２４（部分画像Ｂ１）を表示制御部１３および印刷用メモリ１７に出力する。
【００４８】
表示制御部１３は、表示用メモリ１４に格納されている内容（フレームＦ１０すなわち部分画像Ａ１）を消去し、新たにフレームＦ２４（部分画像Ｂ１）を格納させる。つまり、フレームＦ２４（部分画像Ｂ１）を上書き記憶させる。そして、ＬＣＤパネル１５に、この新たなフレームＦ２４（部分画像Ｂ１）を表示させる。これにより、ＬＣＤパネル１５の表示内容は部分画像Ａ１から部分画像Ｂ１に切り替わる。また、印刷用メモリ１７は、既に格納しているフレームＦ１０〜Ｆ１３（部分画像Ａ１〜Ａ４）を全て消去して、新たに入力されたフレームＦ２４（部分画像Ｂ１）を格納する。つまり、印刷用メモリ１７はフレームＦ２４（部分画像Ｂ１）を上書き記憶する。
【００４９】
その後、フレームＦ２５〜Ｆ２８が入力された場合の処理は、フレームＦ１１〜Ｆ１８が入力された場合の処理と同様である。表示装置１は以上のような処理を実行することにより、複数の部分画像Ａ１〜Ａ４から成る撮影画像Ａの表示および印刷を行う。
【００５０】
図６は、表示装置１が実行する制御処理のフローチャートである。まずステップＳ１００では、入力Ｉ／Ｆ１１にデジタルカメラ２から１フレームが入力される。ステップＳ１１０ではフレーム識別部２０が、入力されたフレームのハッシュ値を計算する。ステップＳ１２０ではフレーム識別部２０が、記憶済みのハッシュ値とステップＳ１１０で計算したハッシュ値とを比較し、新規に入力されたフレームか否かを判定する。新規に入力されたフレームでなかった場合、すなわち記憶済みのハッシュ値のいずれかとステップＳ１１０で計算したハッシュ値とが一致した場合にはステップＳ１７０に進む。他方、新規に入力されたフレームである場合、すなわち記憶済みのハッシュ値のいずれともステップＳ１１０で計算したハッシュ値が一致しなかった場合にはステップＳ１３０に進む。
【００５１】
ステップＳ１３０では信号分離部１２が、２連続で新規のフレームが入力されたか否かを判定する。つまり、１つ前に実行したステップ１２０でも新規に入力されたフレームと判定されたか否かを判定する。２連続でないと判定された場合（すなわち図２に示すように撮影画像が１フレームに収まるケース）にはステップＳ１４０に進む。ステップＳ１４０では、フレーム識別部２０がステップＳ１１０で計算したハッシュ値を記憶する。このとき、既に記憶されていたハッシュ値は全て消去される。
【００５２】
ステップＳ１５０では信号分離部１２が入力フレームを表示制御部１３に出力し、表示制御部１３が当該フレームを表示用メモリ１４に格納する。このとき、表示用メモリ１４に既に格納されていたフレームは消去される。ステップＳ１６０では、信号分離部１２が入力フレームを印刷用メモリ１７に格納する。このとき、印刷用メモリ１７に既に格納されていたフレームは消去される。
【００５３】
ステップＳ１７０では、印刷制御部１８が印刷指示を受けたか否かを判定する。印刷指示を受けていた場合にはステップＳ１８０に進み、プリンタ３を用いて印刷用メモリ１７に格納されている画像を印刷する。印刷制御部１８は、このとき印刷用メモリ１７に複数のフレームが格納されていた場合、それらのフレームをタイル状に連結して１つの撮影画像を作成し印刷する。
【００５４】
他方、ステップＳ１７０において印刷指示を受けていなかった場合にはステップＳ１９０に進む。ステップＳ１９０では入力Ｉ／Ｆ１１が、デジタルカメラ２からの映像信号の入力が終了したか否かを判定する。入力が終了していない場合にはステップＳ１００に戻り、入力が終了していた場合には図６の処理を終了する。
【００５５】
ステップＳ１３０において、２連続で新規フレームが入力されていると判定された場合にはステップＳ２００に進む。ステップＳ２００ではフレーム識別部２０が、ステップＳ１１０で計算したハッシュ値を記憶する。このとき、これまでに記憶したハッシュ値は維持される。ステップＳ２１０では信号分離部１２が印刷用メモリ１７に入力フレームを格納する。このとき、すでに印刷用メモリ１７に格納されていたフレームは維持される。
【００５６】
上述した第１の実施の形態による表示装置によれば、次の作用効果が得られる。
（１）入力Ｉ／Ｆ１１には、原画像を分割した複数の部分画像の各々をフレームとして構成される映像信号が入力される。表示用メモリ１４には複数の部分画像のうち１つの部分画像が記憶され、印刷用メモリ１７には複数の部分画像がすべて記憶される。表示制御部１３は表示用メモリ１４に記憶されている１つの部分画像をＬＣＤパネル１５に出力し、印刷制御部１８は印刷用メモリ１７に記憶されている複数の部分画像から原画像を生成してプリンタ３に出力する。このようにしたので、プリンタ３による印刷品質を向上させることができる。
【００５７】
（２）ＬＣＤパネル１５の表示画素数はプリンタ３の印刷画素数よりも小さい。このようにしたので、表示装置１の小型化を図りつつ、高品質な印刷結果を得ることが可能となる。
【００５８】
（３）映像信号を構成する各フレームの画素数は、原画像の画素数よりも小さい。このようにしたので、映像信号により伝送可能な画素数以上の原画像を、品質を低下させることなく印刷することができる。
【００５９】
（４）映像信号において複数の部分画像は所定順序で並べられており、入力Ｉ／Ｆ１１には複数の部分画像のセットが少なくとも２回繰り返された映像信号が入力される。信号分離部１２は、それら複数の部分画像のうち最後のものが入力された後、次に入力されたフレームがそれら複数の部分画像のうち最初のものとは異なっている場合、原画像とは異なる画像が入力されたと判定し、次に入力されたフレームが最初の部分画像と同一である場合には原画像が再度入力されたと判定する。このようにしたので、デジタルカメラ２から部分画像の個数などを伝達することができないにも関わらず、原画像を正しく生成することが可能となる。
【００６０】
（５）表示用メモリ１４と印刷用メモリ１７を、互いに異なる部材とした。このようにしたので、データの競合がなくなり、制御が容易となる。
【００６１】
（第２の実施の形態）
図７は、第２の実施の形態に係る表示装置５の構成を示すブロック図である。表示装置５は、複数のデジタルカメラ２を同時に接続可能であることを除き、第１の実施の形態の表示装置１と同様の構成を有している。以下、複数のデジタルカメラ２を同時に接続可能である点について説明する。なお、以下の説明において、第１の実施の形態と同様の各部については、第１の実施の形態と同一の符号を付し説明を省略する。
【００６２】
図７に示した表示装置５は、第１の実施の形態における入力Ｉ／Ｆ１１に代えて、第１入力Ｉ／Ｆ１１ａ、第２入力Ｉ／Ｆ１１ｂを有している。各々の入力インタフェースには、それぞれ異なるデジタルカメラを接続することができる。図７では一例として、第１入力Ｉ／Ｆ１１ａにデジタルカメラ２ａを、第２入力Ｉ／Ｆ１１ｂにデジタルカメラ２ｂをそれぞれ接続した様子を示している。
【００６３】
第１入力Ｉ／Ｆ１１ａおよび第２入力Ｉ／Ｆ１１ｂは、スイッチＳＷを介して信号分離部１２に接続されている。スイッチＳＷは第１入力Ｉ／Ｆ１１ａと第２入力Ｉ／Ｆ１１ｂの一方を択一的に信号分離部１２に接続する。ユーザはスイッチＳＷを切り替えることにより、デジタルカメラ２ａとデジタルカメラ２ｂから出力される２つの映像信号のうち、どちらが信号分離部１２に入力されるのかを切り替えることができる。
【００６４】
上述した第２の実施の形態による表示装置によれば、次の作用効果が得られる。
（１）第１入力Ｉ／Ｆ１１ａと第２入力Ｉ／Ｆ１１ｂという複数の入力Ｉ／Ｆを設け、スイッチＳＷがそれら複数の入力Ｉ／Ｆから表示用メモリ１４および印刷用メモリ１７に記憶される部分画像が入力される入力Ｉ／Ｆを選択するようにした。このようにしたので、多数の入力ソースを自在に切り替えて利用することが可能になる。
【００６５】
次のような変形も本発明の範囲内であり、変形例の一つ、もしくは複数を上述の実施形態と組み合わせることも可能である。
【００６６】
（変形例１）
上述した各実施の形態では、本発明をデジタルフォトフレームに適用した例を説明した。本発明はこのような実施形態に限定されない。例えばテレビジョン装置やプロジェクタ、コンピュータディスプレイ等の装置に対して本発明を適用することも可能である。また、画像を表示する表示画面（ＬＣＤパネル１５）や画像を印刷する印刷装置（プリンタ３）は、表示装置に内蔵させてもよいし、独立した外部機器として本発明の表示装置と接続するようにしてもよい。
【００６７】
（変形例２）
上述した各実施の形態において、表示用メモリ１４と印刷用メモリ１７とは、独立した部材としていた。これら２つを同一の記憶装置としてもよい。この場合、単一のメモリの特定領域を印刷用メモリとして扱い、その特定領域のうち、表示したい１フレームが格納されている一部領域を表示用メモリとして扱えばよい。つまり、印刷用メモリには１つの撮影画像を構成する全ての部分画像が含まれる状態とし、それらの部分画像のうちいずれか１つの部分画像が記憶されている領域は、印刷用メモリと表示用メモリとを兼ねることになる。このように、印刷用メモリが表示用メモリをその一部として含む構成とすることによって、部品点数を削減することが可能となる。
【００６８】
（変形例３）
原画像を分割する方法は、前述したタイル状のものに限定されない。例えば原画像をインターリーブすることにより複数の部分画像に分割してもよい。原画像から縦２ピクセル、横２ピクセルのブロックごとに１ピクセルを選択すれば、４つの部分画像を作成することができる。この場合、各部分画像は原画像を４分の１に縮小したような外観を有するので、ＬＣＤパネル１５には原画像の全体像を表示することができ、視認性が向上する。
【００６９】
（変形例４）
デジタルカメラ２とは異なる機器から表示装置１に映像信号を入力してもよい。例えばビデオレコーダや可搬性の記憶媒体等から映像信号を入力することも可能である。また、デジタルカメラ２およびプリンタ３を、インターネット等の電気通信回線を介して表示装置１に接続する構成とすることもできる。
【００７０】
（変形例５）
デジタルカメラ２に格納されている各撮影画像は、それぞれ異なる画像サイズを有していてよい。例えばある撮影画像は横２０００ピクセル、縦１５００ピクセルのサイズであり、また別の撮影画像は横４０００ピクセル、縦２０００ピクセルのサイズであったとしても、本発明を適用することが可能である。
【００７１】
また、デジタルカメラ２に格納されている各撮影画像が、映像信号のフレームサイズで割り切れないサイズである場合には、余剰の領域を単一の色（例えば黒）で塗りつぶしたフレームが入力されるようにしてもよいし、撮影画像のサイズを表示装置１に別途入力するようにして表示装置１が撮影画像のサイズを認識できるようにしてもよい。後者の場合において、予めデジタルカメラ２の機種ごとの撮影モードと各撮影モードにおける撮影画像のサイズとを表示装置１に記憶させておき、ユーザがデジタルカメラ２の機種と撮影モードとを入力することにより、表示装置１が撮影画像のサイズを認識できるように構成することも可能である。
【００７２】
（変形例６）
フレーム識別部２０による各フレームの同一性の判定は、ハッシュ値によるものに限定されない。例えば各フレームを画素単位で比較してもよい。またハッシュ値を用いる場合に、どのようなハッシュ関数を選択しても構わない。
【００７３】
（変形例７）
上述した各実施形態において挙げた最大出力フレームサイズおよび最大入力フレームサイズは一例である。つまり、横１９２０ピクセル、縦１０８０ピクセルという数値は、本発明において特段の意味を有しない。例えばデジタルカメラ２および入力Ｉ／Ｆ１１をＨＤＭＩ１．４規格に準拠させた場合、最大出力フレームサイズおよび最大入力フレームサイズは横４０９６ピクセル、縦２１６０ピクセルとなるが、この場合であっても本発明を適用することが可能である。
【００７４】
また、例えばデジタルカメラ２がＨＤＭＩ１．３ａ規格に準拠し、入力Ｉ／Ｆ１１がＨＤＭＩ１．４規格に準拠する場合、最大出力フレームサイズと最大入力フレームサイズが異なるサイズとなる。この場合、これら２つのサイズのうち、より小さい方を映像信号のフレームサイズとすればよい。また、ＨＤＭＩ１．３ａ規格に準拠する第１デジタルカメラと、ＨＤＭＩ１．４規格に準拠する第２デジタルカメラとが存在し、入力Ｉ／Ｆ１１がＨＤＭＩ１．４規格に準拠している場合には、どちらのデジタルカメラが接続されるかにより、最大出力フレームサイズが変化することになる。このような場合であっても本発明を適用することができる。
【００７５】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７６】
１…表示装置、２、２ａ、２ｂ…デジタルカメラ、３…プリンタ、４…リモコン、５…表示装置、１１…入力インタフェース、１２…信号分離部、１３…表示制御部、１４…表示用メモリ、１５…ＬＣＤパネル、１７…印刷用メモリ、１８…印刷制御部、１９…リモコン受光部、２０…フレーム識別部、ＳＷ…スイッチ
【図１】
2013148718.tif 000003
【図２】
2013148718.tif 000004
【図３】
2013148718.tif 000005
【図４】
2013148718.tif 000006
【図５】
2013148718.tif 000007
【図６】
2013148718.tif 000008
【図７】
2013148718.tif 000009